(57)【要約】【課題】コントラストとバックライトの輝度を一元化して制御でき、消費電力の低減および黒輝度増加を抑制できる液晶表示装置および液晶表示制御方法を提供する。【解決手段】バックライト１１ＡとＬＣＤパネル１２Ａの制御をバックライト／コントラスト調整５１によって一元化して行い、バックライト１１ＡとＬＣＤパネル１２Ａの制御の順序を定めたため、例えばバックライト１１Ａの輝度値がＭＡＸの状態でＬＣＤパネル１２Ａのコントラストを調整するといった場合に生じる電力消費および黒輝度の悪化を回避することができる。【選択図】図４
2008158224.tif 000002
【特許請求の範囲】
【請求項１】
ＬＣＤパネルとバックライトを有して所定の表示を行う表示部と、
前記表示部の表示のコントラストと輝度を調整する調整量を入力する入力部と、
前記入力部から入力された前記調整量に基づいて、前記ＬＣＤパネルのコントラスト値が最大の状態の場合に、前記バックライトの輝度を調整し、前記バックライトの輝度が最小の状態の場合に、前記ＬＣＤパネルのコントラスト値を調整する制御部とを有することを特徴とする液晶表示装置。
【請求項２】
前記制御部は、前記ＬＣＤパネルのコントラスト値を調整するコントラスト制御部と、前記バックライトの輝度を調整するバックライト制御部とを有することを特徴とする請求項１に記載の液晶表示装置。
【請求項３】
前記入力部は、前記表示部の調整のために数値の増減を制御できるスイッチであることを特徴とする請求項１に記載の液晶表示装置。
【請求項４】
ＬＣＤパネルとバックライトを有して所定の表示を行う表示部と、
前記ＬＣＤパネルのコントラスト値を調整するコントラスト制御部と、
前記バックライトの輝度を調整するバックライト制御部と、
前記表示部の表示のコントラストと輝度を調整する調整量を入力する入力部と、
前記入力部から入力された前記調整量に基づいて、前記ＬＣＤパネルのコントラスト値が最大の状態の場合に、前記バックライト制御部に制御信号を送信して前記バックライトの輝度を調整し、前記バックライトの輝度が最小の状態の場合に、前記コントラスト制御部に制御信号を送信して前記ＬＣＤパネルのコントラスト値を調整する制御部とを有することを特徴とする液晶表示装置。
【請求項５】
前記入力部は、前記表示部の調整のために数値の増減を制御できるスイッチであることを特徴とする請求項４に記載の液晶表示装置。
【請求項６】
表示調整度を増減する入力ステップと、
前記表示調整度におけるＬＣＤのコントラスト値およびバックライトの輝度値を判断する判断ステップと、
前記判断ステップにおいて、前記ＬＣＤのコントラスト値が最大であると判断された場合、前記バックライトの輝度値を調整し、前記バックライトの輝度値が最小であると判断された場合、前記ＬＣＤのコントラスト値を調整する調整ステップとを有することを特徴とする液晶表示制御方法。
【請求項７】
前記調整ステップは、前記バックライトの輝度値を調整する際、制御部がバックライト制御部に制御信号を送信して、前記バックライト制御部がバックライトの輝度値を調整し、前記ＬＣＤのコントラストを調整する際、制御部がコントラスト制御部に制御信号を送信して、前記コントラスト制御部がＬＣＤパネルのコントラスト値を調整することを特徴とする請求項６に記載の液晶表示制御方法。
【発明の詳細な説明】
【技術分野】
【０００１】
本発明は、液晶表示装置および液晶表示制御方法に関し、特にコントラストとバックライトの輝度を一元化して制御でき、消費電力の低減および黒輝度増加を抑制できる液晶表示装置および液晶表示制御方法に関する。
【背景技術】
【０００２】
従来の技術として、ポインティングデバイスを用いて液晶表示装置のコントラストと輝度を１つの動作で同時に調整可能な液晶表示装置および液晶表示制御方法がある（例えば、特許文献１参照）。
【０００３】
この液晶表示装置は、画像を表示する表示部としてのＬＣＤと、ＬＣＤの表示画面上のｘ、ｙ座標位置を入力可能なポインティングデバイスと、ポインティングデバイスにより指定されたｘ、ｙ座標をそれぞれＬＣＤパネルのコントラスト、バックライトの輝度の設定コマンドに変換するポインティングデバイス入力処理プログラムとを有する。このため、この液晶表示装置は、ポインティングデバイスの指定動作によりＬＣＤパネルのコントラストの設定、およびバックライトの輝度を１つの動作で同時に調整できる。
【特許文献１】特開平１１−７３２７５号公報
【発明の開示】
【発明が解決しようとする課題】
【０００４】
しかし、従来の液晶表示装置によると、ポインティングデバイスの調整値によっては、例えば、コントラストを最小にしてバックライト輝度を最大に設定すると、画面の明るさはさほど向上しないまま、バックライトの消費電力が増大したり、本来黒であるはずの領域の輝度値（ＬＣＤの黒輝度）が増大し、コントラストがさらに低下する場合がある。
【０００５】
従って、本発明の目的は、コントラストとバックライトの輝度を一元化して制御でき、消費電力の低減および黒輝度増加を抑制できる液晶表示装置および液晶表示制御方法を提供することにある。
【課題を解決するための手段】
【０００６】
（１）本発明は上記目的を達成するため、ＬＣＤパネルとバックライトを有して所定の表示を行う表示部と、前記表示部の表示のコントラストと輝度を調整する調整量を入力する入力部と、前記入力部から入力された前記調整量に基づいて、前記ＬＣＤパネルのコントラスト値が最大の状態の場合に、前記バックライトの輝度を調整し、前記バックライトの輝度が最小の状態の場合に、前記ＬＣＤパネルのコントラスト値を調整する制御部とを有することを特徴とする液晶表示装置を提供する。
【０００７】
このような構成によれば、コントラストと輝度値に関連性を持たせて調整したため、両者を一元管理でき、また、消費電力が無駄に増加したり黒輝度が増加するような設定にならない。
【０００８】
（２）また、本発明は上記目的を達成するため、ＬＣＤパネルとバックライトを有して所定の表示を行う表示部と、前記ＬＣＤパネルのコントラスト値を調整するコントラスト制御部と、前記バックライトの輝度を調整するバックライト制御部と、前記表示部の表示のコントラストと輝度を調整する調整量を入力する入力部と、前記入力部から入力された前記調整量に基づいて、前記ＬＣＤパネルのコントラスト値が最大の状態の場合に、前記バックライト制御部に制御信号を送信して前記バックライトの輝度を調整し、前記バックライトの輝度が最小の状態の場合に、前記コントラスト制御部に制御信号を送信して前記ＬＣＤパネルのコントラスト値を調整する制御部とを有することを特徴とする液晶表示装置を提供する。
【０００９】
このような構成によれば、制御部にコントラスト制御部とバックライト制御部を設けて、（１）と同様の効果を得ることができる。
【００１０】
（３）また、本発明は上記目的を達成するため、表示調整度を増減する入力ステップと、前記表示調整度におけるＬＣＤのコントラスト値およびバックライトの輝度値を判断する判断ステップと、前記判断ステップにおいて、前記ＬＣＤのコントラスト値が最大であると判断された場合、前記バックライトの輝度値を調整し、前記バックライトの輝度値が最小であると判断された場合、前記ＬＣＤのコントラスト値を調整する調整ステップとを有することを特徴とする液晶表示制御方法を提供する。
【００１１】
このような方法によれば、（１）と同様の効果を有する液晶表示制御方法が可能となる。
【発明の効果】
【００１２】
本発明によれば、コントラストとバックライトを一元化して制御でき、消費電力および黒輝度を低減できる。
【発明を実施するための最良の形態】
【００１３】
以下に、本発明の液晶表示装置および液晶表示制御方法の実施の形態を、図面を参照して詳細に説明する。
【００１４】
〔実施の形態〕
（液晶表示装置の構成）
図１は、本発明の実施の形態に関する液晶表示装置の外観を示す概略図である。
【００１５】
液晶表示装置１は、本体１Ａの内部にチューナやデコーダ等の映像処理に関する電子部品を有しており、外部から受信した映像信号を本体１Ａの内部で処理して、表示部１０によって出力する。表示部１０はＬＣＤ（Ｌｉｑｕｉｄ  Ｃｒｙｓｔａｌ  Ｄｉｓｐｌａｙ）等を用いる。液晶表示装置１の操作は、複数の操作スイッチを有するリモコン３０を用いて実行される。
【００１６】
図２は、本発明の実施の形態に関する液晶表示装置の構成を示すブロック図である。
【００１７】
液晶表示装置１は、後述するチューナ６０が出力する映像信号を受信して明るさコントラスト等の表示制御をした後に表示部に出力する表示制御部１０Ｂと表示制御部１０Ｂからの出力を表示するＬＣＤ１０Ａとを含む表示部１０と、リモコン３０から送信された操作信号を受信して後述する制御部５０へと送信するか備えられた複数のスイッチ（図示せず）により操作信号を制御部５０へと送信する入力部２０と、チューナ６０が出力する音声信号を受信して音声として出力する音声出力部４０と、液晶表示装置１内の各部を制御する制御部５０と、外部のアンテナ等（図示せず）から受信した映像信号を復調するチューナ６０と、制御部５０の処理中のデータを一時的に記憶するメモリ７０と、液晶表示装置１内の各部を接続するバス８０とを有する。
【００１８】
制御部５０は、チューナ６０から出力される入力映像信号を表示制御部１０Ｂが制御する際、入力映像信号のバックライトおよびコントラストを一元化して管理するソフトウェアとしてのバックライト／コントラスト調整５１とを有する。
【００１９】
図３は、本発明の実施の形態に関するＬＣＤおよび表示制御部の構成を示すブロック図である。
【００２０】
ＬＣＤ１０Ａは、ＬＥＤまたは冷陰極管等からなるバックライト１１Ａと、バックライト１１Ａにより照射されることにより画像を表示するＬＣＤパネル１２Ａとを有する。
【００２１】
表示制御部１０Ｂは、バックライト１１Ａの輝度を制御するバックライト制御部１１Ｂと、ＬＣＤパネル１２Ａのコントラストを制御するコントラスト制御部１２Ｂとを有する。
【００２２】
（動作）
外部に接続されたアンテナ等（図示せず）を介し、チューナ６０が映像信号を受信する。チューナ６０は、受信した映像信号を復調し、入力映像信号として表示制御部１０Ｂへ送信するとともに、音声信号を音声出力部４０へ送信する。表示制御部１０Ｂは、入力映像信号を設定に基づいて制御してＬＣＤ１０Ａに出力する。制御部５０の処理および表示制御部１０Ｂの処理は、情報を一時的にメモリ７０に記憶させることで効率的に処理される。
【００２３】
表示制御部１０Ｂの設定、例えば輝度やコントラストの操作は、リモコン３０および入力部３０を用いて行われる。操作内容としての調整度は、入力部２０から制御部５０のバックライト／コントラスト調整５１へと送信され、バックライト／コントラスト調整５１は、受信した調整度に基づいて制御信号をバックライト制御部１１Ｂまたはコントラスト制御部１２Ｂに出力する。制御信号は、表示制御部１０Ｂへと入力され、バックライト制御部１１Ｂおよびコントラスト制御部１２Ｂを動作させる。バックライト制御部１１Ｂは、バックライト１１Ａの輝度を制御し、コントラスト制御部１２Ｂは、ＬＣＤパネル１２Ａのコントラストを制御する。
【００２４】
図５は、本発明の実施の形態に関する液晶表示装置の動作を示すフローチャートである。
【００２５】
まず、入力部２０、もしくはリモコン３０を介して入力部２０に調整度が入力される（Ｓ１０）。次に、バックライト／コントラスト調整５１は、入力部２０から調整度を受信すると、その調整度に対応したバックライト１１Ａの輝度値およびＬＣＤパネル１２Ａのコントラスト値を計算し（Ｓ１１）、バックライト１１Ａの輝度値が最小である場合には（Ｓ１３；Ｙｅｓ）、コントラスト制御部１２Ｂに制御信号を送信してコントラスト調整を行う（Ｓ１４）。バックライト１１Ａの輝度値が最小でない場合には（Ｓ１３；Ｎｏ）、ＬＣＤパネル１２Ａのコントラスト値が最大の状態であるので、バックライト制御部１１Ｂに制御信号を送信して輝度値調整を行う（Ｓ１５）。
【００２６】
図４（ａ）〜（ｃ）は、本発明の実施の形態に関する液晶表示装置の動作を示すグラフ図である。
【００２７】
リモコン３０および入力部３０の操作は、例えば＋ボタンおよび−ボタンの２つのスイッチにより行われ、調整度を変化する。バックライト１１Ａの輝度およびＬＣＤパネル１２Ａのコントラストは、図４（ａ）に示すように調整度に連動する。
【００２８】
調整度を最小値（図４（ａ）のＭＩＮ）より大きくしていくに従って、ＬＣＤパネル１２Ａのコントラスト値が増加し、調整度がＭになる時点でコントラスト値は最大値（ＭＡＸ）となる。それ以降、調整度が最大値（ＭＡＸ）に達するまで、コントラスト値は最大値を維持し続ける。
【００２９】
また、調整度を最小値より大きくしていくに従って、バックライト１１Ａの輝度は最小値（ＭＩＮ）を維持し続け、調整度がＭになった時点から増加し始める。調整度が最大値に達すると、バックライト１１Ａの輝度は最大値（ＭＡＸ）となる。
【００３０】
バックライト１１Ａの輝度は、調整度がＭに達するまで最小値を維持し続けて、調整度Ｍ以降に増加するため、バックライト１１Ａの消費電力は図４（ｂ）に示すように、調整度ＭまではＢを維持し続け、調整度Ｍ以降に増加してＡに達する。ここで、Ａはバックライト１１Ａの輝度値が最大値である場合のバックライト消費電力であり、Ｂはバックライト１１Ａの輝度値が最小値である場合のバックライト消費電力である。
【００３１】
同様に、ＬＣＤ１０Ａにおける黒輝度は、図４（ｃ）に示すように、調整度ＭまではＤを維持し続け、調整度Ｍ以降に増加してＣに達する。ここで、Ｃはバックライト１１Ａの輝度値が最大値である場合のＬＣＤ１０Ａの黒輝度であり、Ｄはバックライト１１Ａの輝度値が最小値である場合のＬＣＤ１０Ａの黒輝度である。
【００３２】
（実施の形態の効果）
上記した本発明の実施の形態によると、バックライト１１ＡとＬＣＤパネル１２Ａの制御をバックライト／コントラスト調整５１によって一元化して行い、バックライト１１ＡとＬＣＤパネル１２Ａの制御の順序を定めたため、例えばバックライト１１Ａの輝度値がＭＡＸの状態でＬＣＤパネル１２Ａのコントラストを調整するといった場合に生じる電力消費および黒輝度の増加を回避することができる。また、黒輝度改善によりコントラストが向上する。
【００３３】
また、バックライト１１ＡとＬＣＤパネル１２Ａの調整を１つの操作で同時に管理できるため、操作が簡単になる。
【００３４】
なお、調整度ＭＩＮから調整度ＭまでのＬＣＤパネル１２Ａのコントラストの変化は直線でなく曲線等で変化する特徴を有してもよい。同様に、調整度Ｍから調整度ＭＡＸまでのバックライト１１Ａの輝度値の変化は直線でなく曲線等で変化する特徴を有しても良い。また、調整度Ｍの値は任意に設定しても構わない。
【図面の簡単な説明】
【００３５】
【図１】本発明の実施の形態に関する液晶表示装置の外観を示す概略図である。
【図２】本発明の実施の形態に関する液晶表示装置の構成を示すブロック図である。
【図３】本発明の実施の形態に関するＬＣＤおよび表示制御部の構成を示すブロック図である。
【図４】（ａ）〜（ｃ）は、本発明の実施の形態に関する液晶表示装置の動作を示すグラフ図である。
【図５】本発明の実施の形態に関する液晶表示装置の動作を示すフローチャートである。
【符号の説明】
【００３６】
１…液晶表示装置、１Ａ…本体、１０…表示部、１０Ａ…ＬＣＤ、１０Ｂ…表示制御部、１１Ａ…バックライト、１１Ｂ…バックライト制御、１２Ａ…ＬＣＤパネル、１２Ｂ…コントラスト制御、２０…入力部、３０…リモコン、４０…音声出力部、５０…制御部、５１…バックライト／コントラスト調整、６０…チューナ、７０…メモリ、８０…バス
【図１】
2008158224.tif 000003
【図２】
2008158224.tif 000004
【図３】
2008158224.tif 000005
【図４】
2008158224.tif 000006
【図５】
2008158224.tif 000007